(57)【特許請求の範囲】
【請求項１】
ズームレンズは、物体側から像側へ順に、ズーミングのためには移動しない正の屈折力を有する第１群と、ズーミングの際に移動する負の屈折力を有する第２群とを有し、
該第１群は、物体側から像側へ順に、負の屈折力を有する不動の第１部分群と、フォーカシングの際に移動する正の屈折力を有する第２部分群と、正の屈折力を有する不動の第３部分群とから構成され、
該第１部分群に含まれる負レンズのアッベ数νの平均値と部分分散比θの平均値を各々νna、θna、該第１部分群を構成するレンズの内、最もアッベ数が小さい正レンズのアッベ数と部分分散比を各々νp、θpとしたとき、
−２．１３×１０−３≦（θp−θna）／（νp−νna）＜−１．９×１０−３
ここで、ν＝（Ｎｄ−１）／（ＮＦ−ＮＣ）
θ＝（Ｎｇ−ＮＦ）／（ＮＦ−ＮＣ）
Ｎｄ、Ｎｇ、ＮＦ、ＮＣは、それぞれ、ｄ線、ｇ線、Ｆ線、Ｃ線における屈折率
を満足することを特徴とするズームレンズ。
【請求項２】
前記第１部分群の焦点距離をｆ１１、前記第３部分群の焦点距離をｆ１３としたとき、
０．５＜｜ｆ１１／ｆ１３｜＜０．７７
を満足することを特徴とする請求項１に記載のズームレンズ。
【請求項３】
前記第１部分群に含まれる負レンズの屈折率の平均値をＮｎとしたとき、
１．７１＜Ｎｎ＜１．７８
を満たすことを特徴とする請求項１または２に記載のズームレンズ。
【請求項４】
前記第２群の像面側に、物体側から像側へ順に、ズーミングの際に移動する負の屈折率を有する第３群、ズーミングのためには移動しない正の屈折率を有する第４群、をさらに有することを特徴とする請求項１乃至３のいずれか１項に記載のズームレンズ。
【請求項５】
請求項１乃至４のいずれか１項に記載のズームレンズを有することを特徴とする撮像装置。
【請求項６】
広角端の焦点距離をｆｗ、イメージサイズをＩＳとしたとき、
０．３３＜ｆｗ／ＩＳ＜０．４４
を満足することを特徴とする請求項５に記載の撮像装置。
【発明の詳細な説明】
【技術分野】
【０００１】
本発明は、テレビカメラやビデオカメラに好適なズームレンズにおいて、広角化を達成しつつ広角端の倍率色収差が良好なズームレンズに関するものである。
【背景技術】
【０００２】
従来から、物体側から順に変倍中固定の正の屈折力を有する第１群、変倍用の負の屈折力を有する第２群と、変倍に伴う像面の移動を補正する負の屈折力を有する第３群と、変倍中固定の正の屈折力を有する第４群からなるズームレンズは多く提案されている。
特許文献1〜４には、数値実施例において広角端焦点距離5.5〜4.8mmの開示がなされている。
【先行技術文献】
【特許文献】
【０００３】
【特許文献１】特開2000-321496号公報
【特許文献２】特開平11-030749号公報
【特許文献３】特開平10-062686号公報
【特許文献４】特開平9-258102号公報
【発明の開示】
【発明が解決しようとする課題】
【０００４】
特許文献1乃至４には、数値実施例において広角端の焦点距離が5.5〜4.8mmである旨の開示があるが、更なる広角化を行う際の課題として広角端の倍率色収差の２次スペクトルの補正があげられる。そこで本発明の目的は、特に放送用のズームレンズに最適で、広角端の焦点距離4.8mm以下で、特に広角端の倍率色収差の２次スペクトルを良好に補正したズームレンズおよびそれを有する撮像装置を提供することを目的とする。
【課題を解決するための手段】
【０００５】
上記目的を達成するために、本発明のズームレンズは、
物体側から像側へ順に、ズーミングのためには移動しない正の屈折力を有する第１群と、ズーミングの際に移動する負の屈折力を有する第２群とを有し、該第１群は、物体側から像側へ順に、負の屈折力を有する不動の第１部分群と、フォーカシングの際に移動する正の屈折力を有する第２部分群と、正の屈折力を有し不動の第３部分群とから構成され、該第１部分群を構成する負レンズのアッベ数νの平均値と部分分散比θの平均値を各々νna、θna、該第１部分群を構成するレンズの内、最もアッベ数が小さい正レンズのアッベ数と部分分散比を各々νp、θpとしたとき、
−２．１３×１０−３≦（θp−θna）／（νp−νna）＜−１．９×１０−３
ここで、ν＝（Ｎｄ−１）／（ＮＦ−ＮＣ）
θ＝（Ｎｇ−ＮＦ）／（ＮＦ−ＮＣ）、
Ｎｄ、Ｎｇ、ＮＦ、ＮＣは、それぞれ、ｄ線、ｇ線、Ｆ線、Ｃ線における屈折率
を満足することを特徴とする。
本発明のズームレンズのさらなる実施形態においては、前記第１部分群の焦点距離をｆ１１、前記第３部分群の焦点距離をｆ１３としたとき、
０．５＜｜ｆ１１／ｆ１３｜＜０．７７
を満足することを特徴とする。
本発明のズームレンズのさらなる実施形態においては、前記第１部分群を構成する負レンズの屈折率の平均値をＮｎとしたとき、
１．７１＜Ｎｎ＜１．７８
を満たすことを特徴とする。
本発明のズームレンズのさらなる実施形態においては、広角端の焦点距離をｆｗ、イメージサイズをＩＳとしたとき、
０．３３＜ｆｗ／ＩＳ＜０．４４
を満足することを特徴とする。
本発明のズームレンズのさらなる実施形態においては、前記第２群の像面側に、物体側から像側へ順に、ズーミングの際に移動する負の屈折力を有する第３群と、ズーミングのためには移動しない正の屈折力を有する第４群とをさらに有することを特徴とする。
本発明の撮像装置は、前記のズームレンズを有することを特徴とする。
【０００６】
本発明の更なる目的又はその他の特徴は、以下、添付の図面を参照して説明される好ましい実施例等によって明らかにされるであろう。
【発明の効果】
【０００７】
本発明によれば、広角端の焦点距離が4.8mm以下で、広角端の倍率色収差の２次スペクトルを良好に補正した、ズームレンズを達成することができる。
【図面の簡単な説明】
【０００８】
【図１】実施例１の広角端における断面図
【図２】（ａ）実施例１のｆ＝3.85ｍｍにおける収差図、（ｂ）実施例１のｆ＝15.4ｍｍにおける収差図、（ｃ）実施例１のｆ＝53.9ｍｍにおける収差図
【図３】実施例２の広角端における断面図
【図４】（ａ）実施例２のｆ＝4.5ｍｍにおける収差図、（ｂ）実施例２のｆ＝18ｍｍにおける収差図、（ｃ）実施例２のｆ＝63ｍｍにおける収差図
【図５】実施例３の広角端における断面図
【図６】（ａ）実施例３のｆ＝4.5ｍｍにおける収差図、（ｂ）実施例３のｆ＝18ｍｍにおける収差図、（ｃ）実施例３のｆ＝63ｍｍにおける収差図
【図７】負レンズ群の２色色消しと二次スペクトル残存に関する模式図
【図８】光学材料のアッベ数νと部分分散比θの分布の模式図
【発明を実施するための最良の形態】
【０００９】
以下に、本発明の実施の形態を添付の図面に基づいて詳細に説明する。
【００１０】
本発明のズームレンズは、物体側から順に、変倍のためには移動しない正の屈折力を有する第１群Ｆと、変倍中に移動する負の屈折力を有する第２群Ｖと、負の屈折力を有する第３群Ｃと、変倍のためには動かない第４群Ｒとを有する。第１群Ｆは、物体側から順に、物体側から順に、負の屈折力を有する不動の第１部分群１ａと、合焦中に移動する正の屈折力を有する第２部分群１ｂと、正の屈折力を有する不動の第３部分群１ｃとから構成される。第２群Ｖと第３群Ｃは変倍中（ズーミング中）に移動する群（レンズ群）であって、変倍中に互いに異なる軌跡に沿って移動する。  第２群Ｖは、変倍用のバリエータであり、光軸上を像面側へ単調に移動させることにより、広角端から望遠端への変倍を行う。第２群の像面側に配置された第３群Ｃは、コンペンセータであり、変倍に伴う像面変動を補正するために光軸上を物体側へ非直線的に移動する。バリエータＶとコンペンセータＣとで変倍系を構成している。ＳＰは絞り、Ｒは第４群としての結像作用を有する正の屈折力の固定の（変倍のためには動かない）リレ−群である。Ｐは色分解プリズムや光学フィルタ−等であり、同図ではガラスブロックとして示している。Ｉは撮像面である。
尚、ここで、本実施例のズームレンズは、最も物体側（被写体側、拡大側）から順に、正の屈折力の第１群（最も物体側に配置されたレンズ群）、負の屈折力の第２群、負の屈折力の第３群、正の屈折力の第４群を備えることとしたがこの限りではない。例えば、第３群Ｃが正の屈折力を有していても構わないし、第２群と第３群との間に、正又は負の屈折力を持つ別の群（レンズ群）を加えて５群構成としても構わない。逆に、第１、２群のみでズームレンズを構成しても構わないし、勿論第１、２、３群のみでズームレンズを構成しても構わない。更には、正の屈折力の第１群と正の屈折力の第２群と負の屈折力の第３群、正の屈折力の第１群と負の屈折力の第２群と正の屈折力の第３群で、ズームレンズを構成しても良い。
【００１１】
本発明のズームレンズは、レンズ材料の分散特性の条件を規定することにより、広角端における倍率色収差の二次スペクトルを良好に補正することを可能としている。具体的には、第１部分群１ａを構成する負レンズのアッベ数νとｇ線、Ｆ線における部分分散比θの平均値を各々νna、θna、第１部分群１ａを構成するレンズの内、最もアッベ数が小さい正レンズのアッベ数と部分分散比を各々νp、θpとしたとき、
−２．２７×１０−３＜（θp-θna）／（νp-νna）＜−１．９×１０−３    (1)
を満たすことにより、第１群内の負の第１部分群1aにおける倍率色収差の二次スペクトル残存量を減少させ、広角端における倍率色収差の二次スペクトルを適切に補正することができる。  ここでアッベ数νおよび部分分散比θは、ｇ線における屈折率をＮｇ、Ｆ線における屈折率をＮＦ、ｄ線における屈折率をＮｄ、Ｃ線における屈折率をＮＣとしたとき、
ν  ＝  （Ｎｄ−１）／（ＮＦ−ＮＣ）        (2)
θ  ＝  （Ｎｇ−ＮＦ）／（ＮＦ−ＮＣ）      (3)
である。
【００１２】
図７に負レンズ群の２色色消しと二次スペクトル残存に関する模式図を示す。図８に現存する光学材料のアッベ数νと部分分散比θの分布の模式図を示す。
【００１３】
図８に示すように、現存する光学材料はアッベ数νに対し部分分散比θが狭い範囲に分布しており、アッベ数νが小さいほど部分分散比θが大きい傾向を持っている。
【００１４】
ここで、屈折力φ１、φ２、アッベ数ν１、ν２の２枚のレンズ１、２で構成される、所定の屈折力φ（＝φ１＋φ２）を有する薄肉系を考える。この薄肉系においては、
φ１／ν１＋φ２／ν２        (4)
をゼロとすることで、Ｃ線、Ｆ線の結像位置が合致し、色収差を低減することができる。
【００１５】
負レンズ群の色消しのため、アッベ数ν１の小さな材料を正レンズ１の材料として、アッベ数ν２の大きな材料を負レンズ２の材料として選択する。したがって、図８より、正レンズ１の部分分散比θ１は、負レンズ２の部分分散比θ２よりも大きい。このため、Ｆ線とＣ線で色収差を補正するとｇ線の結像点が像高の高い方にずれる。このずれ量を倍率色収差二次スペクトル量△として定義すると、
△＝−（１／φ）×（θ１−θ２）／（ν１−ν２）      (5)
であらわされる。
【００１６】
ここで第１部分群１ａ、第２部分群１ｂ、第３部分群１ｃ、第２群Ｖ、第３群Ｃ、第４群Ｒの二次スペクトル量をΔ１ａ、Δ１ｂ、Δ１ｃ、Δ２、Δ３、Δ４、第２部分群１ｂ、第３部分群１ｃ、第２群Ｖ、第３群Ｃ、第４群Ｒの結像倍率をβ１ｂ、β１ｃ、β２、β３、β４とすると、
レンズ全系における二次スペクトル量Δは以下の式で表される。
【数１】
0005584533.tif 000002
倍率色収差二次スペクトル量△は広角側で軸外光線が高い位置を通る第１群で顕著に発生する。
【００１７】
したがって、第１部分群１ａで発生する倍率色収差二次スペクトル量△１ａを抑制することで広角側の倍率色収差二次スペクトル量Δを低減することが出来る。また、さらに好ましくは、
−２．１３×１０−３≦（θp-θna）／（νp-νna）≦−１．９４×１０−３    (1a)
を満たすことが望ましい。
条件式(1)の下限を越えると、第１群による二次スペクトル補正効果が不足してしまい、広角端の倍率色収差を良好に補正することが困難となってくる。
【００１８】
さらに、本発明のズームレンズにおいては、第１部分群１ａの焦点距離をｆ１１と第３部分群１ｃの焦点距離ｆ１３の比が、
０．５＜｜ｆ１１／ｆ１３｜＜０．７７        （7）
を満足することを特徴とする。これにより、第１群の主点の位置を像面側に押し出すことで、第１群の像点の位置と第２群の主点の位置を広げることが可能となり広角化が達成される。また、広角端の倍率色収差と望遠端の軸上色収差、球面収差の補正に効果的な条件を示している。また、さらに好ましくは、
０．５１≦｜ｆ１１／ｆ１３｜≦０．７５      （7ａ）
を満たすことが望ましい。  条件式（7）の上限を越えると、第１群の主点の位置を像面側に押し出すことが出来なくなり広角化が困難になる。また、第３部分群１ｃの焦点距離ｆ１３に対して第１部分群１ａの焦点距離ｆ１１が大きくなり条件式（7）の上限を越えると、広角端の倍率色収差の二次スペクトル補正が不足してしまう。また、焦点距離ｆ１１に対して焦点距離ｆ１３が小さくなり条件式（7）の上限を越えると、望遠端の球面収差の補正が困難となり、好ましくない。
【００１９】
さらに、本発明のズームレンズにおいては、第１部分群１ａを構成するレンズのうち、負レンズの屈折率を規定し、広角端での諸収差を効果的に抑制することを可能とする。具体的には、第１群Ｆの第１部分群１ａを構成する負レンズの屈折率の平均をNnとしたとき、
１．７１＜Nn＜１．７８        (8)
を満たす。また、さらに好ましくは、
１．７２≦Nn≦１．７６        (8a)
を満たすことが望ましい。
条件式（8）の下限を超えると、第１部分群１ａを構成する負レンズの曲率が大きく（曲率半径が小さく）なる。これにより、第１部分群１ａにて発生する諸収差の補正が困難になるので、好ましくない。
【００２０】
さらに、本発明のズームレンズにおいては、広角端の倍率色収差良を良好に補正し、小型のズームレンズを達成するための、適切な広角端の画角を規定している。広角端の焦点距離をｆｗ、イメージサイズの対角長（すなわち像高の２倍）をＩＳとしたとき、
０．３３＜ｆｗ／ＩＳ＜０．４４        (9)
を満足する。また、さらに好ましくは、
０．３５≦ｆｗ／ＩＳ≦０．４１        (9a)
を満たすことが望ましい。
【００２１】
本発明のズームレンズは、広角端の焦点距離が4.8mm以下という広角端の倍率色収差の２次スペクトルを良好に補正することができる。また、本発明のズームレンズを備えた撮像装置により、広角端の倍率色収差を良好に抑制することができるテレビカメラやビデオカメラを実願することができる。
【実施例１】
【００２２】
図１は本発明の実施例１のズームレンズの広角端における断面図である。図２に、実施例１のズームレンズのズーム位置が、広角端、ｆ＝１５．４ｍｍ、望遠端、における収差図を示す。
【００２３】
図１に示すように、実施例１のズームレンズは、物体側から、正の屈折力を有する前玉レンズ群である第１群Ｆ、変倍用の負の屈折力を有するバリエータである第２群Ｖ、負の屈折力のコンペンセータである第３群Ｃ、絞りＳＰ，結像作用を有する正の屈折力の固定のリレ−群である第４群Ｒ、及び、色分解プリズムや光学フィルタ−等の光学要素Ｐ（図１ではガラスブロックＰとして示している）から構成される。
【００２４】
第１群Ｆは、物体側から、負のパワーを有し不動の第１部分群１ａ、合焦用に光軸方向に移動する正のパワーを有する第２部分群１ｂ、正のパワーを有し不動の第３部分群１ｃから構成される。第２群Ｖは、光軸上を像面側へ単調に移動することにより、広角端から望遠端への変倍を行う。第３群Ｃは、変倍に伴う像面変動を補正するために光軸上を物体側へ非直線的に移動する。バリエータである第２群Ｖとコンペンセータである第３群Ｃとで変倍系を構成している。図１中のＩは撮像面である。
【００２５】
以下、実施例１に対応する数値実施例１を示す。
ｒは面の曲率半径、ｄは面間隔、ｎｄはｄ線における屈折率、νｄはｄ線におけるアッべ数、θｇＦは、（Ｎｇ−ＮＦ）／（ＮＦ−ＮＣ）で表されるｇ線、Ｆ線における部分分散比、ＢＦはバックフォーカスを表す。なお、面番号は、物体側から順に付与してある。また、非球面形状は、光軸方向をＸ軸、光軸と垂直な方向にＨ軸、光の進行方向を正とし、Ｒを近軸曲率半径、Kを円錐定数、Ａｉを第ｉ次の非球面係数としたとき、
【数２】
0005584533.tif 000003
なる式で表される。数値実施例中には、円錐定数Ｋと非球面係数Ａｉを記載した。
【００２６】
第１部分群１ａは物体側より順に負レンズ、負レンズ、負レンズ、正レンズで構成され、第１面〜第８面に対応する。第１部分群１ａ内の物体側から４番目のレンズである正レンズが、第１部分群１ａ内で最もアッベ数が小さい正レンズに対応している。
【００２７】
本実施例１の各条件式対応値を表１に示す。本数値実施例はいずれの条件式も満足しており、広角端での焦点距離が4.8mm以下という広角を達成しながら広角端での倍率色収差を良好に補正した高い光学性能を達成している。
【００２８】
〈数値実施例１〉
面番号      r         d        nd        vd       θgF     有効径   焦点距離
1      148.91537   2.25000  1.882997   40.76    0.5667     90.671    -46.316
2       32.00289  19.18937  1.000000    0.00    0.0000     61.611      0.000
3      101.28248   1.80000  1.696797   55.53    0.5433     61.120   -139.775
4       49.39466  16.06047  1.000000    0.00    0.0000     56.582      0.000
5      -73.30027   1.70000  1.696797   55.53    0.5433     55.999    -72.217
6      164.28610   0.13500  1.000000    0.00    0.0000     57.323      0.000
7       88.68896   6.39879  1.846660   23.78    0.6034     58.628    133.077
8      388.70383   1.90684  1.000000    0.00    0.0000     58.449      0.000
9      326.72064   6.85086  1.603112   60.64    0.5414     59.540    139.954
10     -113.51010   4.27187  1.000000    0.00    0.0000     60.091      0.000
11      166.54947   7.66954  1.438750   94.99    0.5342     62.158    136.185
12      -92.23050   0.13500  1.000000    0.00    0.0000     62.183      0.000
13      128.41169   1.70000  1.846660   23.78    0.6205     62.663   -120.289
14       56.76114  14.66533  1.438750   94.99    0.5342     61.670     94.624
15     -143.72107   0.16200  1.000000    0.00    0.0000     62.085      0.000
16      164.57698  13.21487  1.496999   81.54    0.5375     62.624     94.342
17      -64.07857   0.16200  1.000000    0.00    0.0000     62.469      0.000
18      105.86978   5.42663  1.592400   68.30    0.5456     53.069    190.137
19     1639.56228    (可変)  1.000000    0.00    0.0000     51.505      0.000
20       64.62195   0.90000  1.882997   40.76    0.5667     22.181    -24.507
21       16.17516   4.01943  1.000000    0.00    0.0000     18.962      0.000
22      -83.29858   0.90000  1.834000   37.16    0.5775     18.632    -31.865
23       39.58667   2.68185  1.000000    0.00    0.0000     17.930      0.000
24     -200.97530   5.85821  1.784723   25.68    0.6161     17.728     16.791
25      -12.63264   0.90000  1.882997   40.76    0.5667     17.634    -14.580
26     -533.45474   0.12819  1.000000    0.00    0.0000     17.911      0.000
27       42.89063   2.41461  1.592701   35.31    0.5933     18.013     55.785
28     -145.50059    (可変)  1.000000    0.00    0.0000     17.889      0.000
29      -25.95493   0.80000  1.740999   52.64    0.5467     17.126    -21.721
30       43.44434   2.24960  1.808095   22.76    0.6307     18.502     48.410
31     -427.71274    (可変)  1.000000    0.00    0.0000     18.946      0.000
32        0.00000   1.40000  1.000000    0.00    0.0000     27.084      0.000
33     4615.65877   2.98519  1.723420   37.95    0.5836     28.064     79.424
34      -58.53296   0.15000  1.000000    0.00    0.0000     28.521      0.000
35       63.01824   4.46957  1.639999   60.07    0.5372     29.604     55.226
36      -78.96423   0.22000  1.000000    0.00    0.0000     29.585      0.000
37       56.57823   6.76527  1.516330   64.14    0.5352     28.632     45.776
38      -39.18587   1.00000  1.882997   40.76    0.5667     27.778    -32.587
39      112.03673  34.00000  1.000000    0.00    0.0000     27.219      0.000
40       68.23275   5.15077  1.567322   42.80    0.5730     26.380     53.123
41      -53.02455   0.30000  1.000000    0.00    0.0000     26.026      0.000
42      521.27243   1.00000  1.882997   40.76    0.5667     24.834    -20.258
43       17.37609   6.40031  1.516330   64.14    0.5352     23.149     32.251
44     -383.71550   0.20000  1.000000    0.00    0.0000     23.175      0.000
45       32.63023   7.45733  1.516330   64.14    0.5352     23.152     28.636
46      -25.09727   1.00000  1.882997   40.76    0.5667     22.452    -21.948
47       88.93537   0.87964  1.000000    0.00    0.0000     22.428      0.000
48       39.08867   6.24935  1.487490   70.23    0.5300     22.838     35.185
49      -29.13439   4.00000  1.000000    0.00    0.0000     22.710      0.000
50        0.00000  33.00000  1.608590   46.44    0.5664     40.000      0.000
51        0.00000  13.20000  1.516800   64.17    0.5347     40.000      0.000
52        0.00000   0.00000  1.000000    0.00    0.0000     40.000      0.000
【００２９】
非球面データ
第2面
K = 5.31002  A4= 3.43635×10-6  A6=-2.83495×10-10  A8=-3.90687×10-13  A10=-9.82135×10-18 
A3=-2.93410×10-5  A5=-3.55248×10-8  A7= 1.32522×10-11  A9= 5.61324×10-15 
第11面
K = 2.65305  A4= 1.00167×10-6  A6=-6.30003×10-10  A8= 3.10208×10-13  A10= 2.64339×10-15  A12=-2.64750×10-19 
A3=-5.49042×10-6  A5= 2.59700×10-8  A7=-9.25794×10-12  A9=-5.79758×10-14  A11=-2.28424×10-17 
第13面
K =-3.70766  A4= 1.17206×10-6  A6=-2.10878×10-10  A8= 1.10236×10-12  A10=-6.45790×10-16  A12= 5.37441×10-19 
A3= 1.38034×10-6  A5=-1.52397×10-9  A7= 2.13635×10-11  A9=-9.48024×10-15  A11=-1.45634×10-17
【００３０】
各種データ
ズーム比     14.00 
焦点距離       3.85     8.08    15.40    27.72    53.90  
Fナンバー      1.90     1.90     1.90     1.90     2.78  
画角          55.01    34.23    19.65    11.22     5.83  
像高           5.50     5.50     5.50     5.50     5.50  
レンズ全長   314.94   314.94   314.94   314.94   314.94  
BF             6.60     6.60     6.60     6.60     6.60  
d20            0.49    19.89    31.14    38.10    42.85  
d29           41.77    20.10     8.49     4.16     7.29  
d32           11.70    13.98    14.34    11.70     3.83  
d53            6.60     6.60     6.60     6.60     6.60  
入射瞳位置    31.49    39.60    51.19    67.94    96.53  
射出瞳位置   291.15   291.15   291.15   291.15   291.15  
前側主点位置  35.40    47.91    67.42    98.36   160.64  
後側主点位置   2.75    -1.48    -8.80   -21.12   -47.30  
ズームレンズ群データ
群  始面    焦点距離  レンズ構成長  前側主点位置  後側主点位置
1    1      24.39       103.70        43.21         36.77
2   21     -16.27        17.80         0.72        -13.42
3   30     -40.00         3.05        -0.16         -1.86
4   33      63.37       129.83        74.42       -135.54
【実施例２】
【００３１】
図３は本発明の実施例２のズームレンズの広角端における断面図である。図４に、実施例２のズームレンズのズーム位置が、広角端、ｆ＝１８ｍｍ、望遠端、における収差図を示す。
図３に示す本実施例２のズームレンズの構成は、図１に示した実施例１のズームレンズの構成と同様であるので、構成についての概略の記載は省略する。実施例２は、実施例１と基本的な構成は同等であるが、光学面の形状が異なるため、以下の数値実施例２において、具体的に示す。
【００３２】
本実施例２の各条件式対応値を表１に示す。本数値実施例はいずれの条件式も満足しており、広角端での焦点距離が4.8mm以下という広角を達成しながら広角端での倍率色収差を良好に補正した高い光学性能を達成している。
【００３３】
〈数値実施例２〉
面番号      r         d        nd        vd       θgF     有効径   焦点距離
1      497.51526   2.50000  1.772500   49.50    0.5519     84.018    -44.492
2       32.22262  17.10285  1.000000    0.00    0.0000     58.669      0.000
3      202.46621   1.85000  1.696797   55.53    0.5433     58.507   -145.730
4       67.56483  11.16361  1.000000    0.00    0.0000     56.160      0.000
5     -106.12685   1.75000  1.696797   55.53    0.5433     56.083   -141.824
6     1541.34595   0.15000  1.000000    0.00    0.0000     57.174      0.000
7       88.29891   6.06785  1.896760   23.00    0.6108     58.906    106.653
8      991.67473   3.16436  1.000000    0.00    0.0000     58.676      0.000
9     -441.08762   5.01983  1.603112   60.64    0.5414     58.233    214.416
10     -100.73364   8.09313  1.000000    0.00    0.0000     58.056      0.000
11     2227.68601   8.41372  1.438750   94.99    0.5342     54.815    138.835
12      -62.71570   1.65000  1.654115   39.70    0.5737     54.714   -161.046
13     -155.24757   0.15000  1.000000    0.00    0.0000     55.212      0.000
14      144.53792   1.65000  1.846660   23.78    0.6205     57.321   -117.902
15       59.07650  11.78733  1.438750   94.99    0.5342     57.553    106.077
16     -208.43782   0.18000  1.000000    0.00    0.0000     58.447      0.000
17      160.71909  11.28965  1.496999   81.54    0.5375     60.756    106.191
18      -77.08056   0.18000  1.000000    0.00    0.0000     61.089      0.000
19       72.77923   9.55436  1.592400   68.30    0.5456     58.661     98.693
20     -287.80489    (可変)  1.000000    0.00    0.0000     57.812      0.000
21       30.11803   0.75000  1.882997   40.76    0.5667     20.613    -31.341
22       14.29638   3.03136  1.000000    0.00    0.0000     18.030      0.000
23       82.70942   0.75000  1.834000   37.16    0.5775     17.754    -38.766
24       23.25465   4.32342  1.000000    0.00    0.0000     16.722      0.000
25      -27.37561   5.07979  1.784723   25.68    0.6161     16.098     18.473
26      -10.31612   0.80000  1.882997   40.76    0.5667     16.237    -13.932
27      -64.29573   0.13706  1.000000    0.00    0.0000     16.983      0.000
28       50.52808   2.49788  1.592701   35.31    0.5933     17.532     51.523
29      -77.05607    (可変)  1.000000    0.00    0.0000     17.805      0.000
30      -26.56089   0.75000  1.740999   52.64    0.5467     18.167    -23.864
31       54.27546   2.23907  1.808095   22.76    0.6307     19.565     50.804
32     -172.65206    (可変)  1.000000    0.00    0.0000     19.987      0.000
33        0.00000   1.40000  1.000000    0.00    0.0000     27.369      0.000
34      542.88958   3.08868  1.720000   43.69    0.5699     28.391     75.555
35      -60.67748   0.15000  1.000000    0.00    0.0000     28.786      0.000
36       73.99391   3.90770  1.639999   60.07    0.5372     29.564     65.848
37      -96.76937   0.22000  1.000000    0.00    0.0000     29.536      0.000
38       55.91255   6.24462  1.516330   64.14    0.5352     28.767     46.913
39      -41.37922   1.00000  1.882997   40.76    0.5667     28.127    -33.537
40      107.51631  34.00000  1.000000    0.00    0.0000     27.609      0.000
41       71.70949   5.19718  1.567322   42.80    0.5730     27.771     51.159
42      -47.91739   0.30000  1.000000    0.00    0.0000     27.516      0.000
43     -696.89119   1.00000  1.882997   40.76    0.5667     26.174    -23.663
44       21.68388   6.16444  1.516330   64.14    0.5352     24.705     36.921
45     -146.96232   0.20000  1.000000    0.00    0.0000     24.628      0.000
46       34.21408   7.74204  1.516330   64.14    0.5352     24.179     28.048
47      -23.32121   1.00000  1.882997   40.76    0.5667     23.472    -20.363
48       82.17483   0.87964  1.000000    0.00    0.0000     23.907      0.000
49       45.55541   6.21162  1.516330   64.14    0.5352     24.660     37.444
50      -32.23243   4.00000  1.000000    0.00    0.0000     24.829      0.000
51        0.00000  33.00000  1.608590   46.44    0.5664     44.000      0.000
52        0.00000  13.20000  1.516800   64.17    0.5347     44.000      0.000
53        0.00000   0.00000  1.000000    0.00    0.0000     44.000      0.000
【００３４】
非球面データ
第2面
K = 1.22038×10+2  A4= 2.53837×10-6  A6=-2.87657×10-10  A8=-2.07660×10-13  A10=-1.06570×10-16  A12= 1.95302×10-20 
A3=-3.54481×10-6  A5=-3.22306×10-8  A7= 8.19704×10-12  A9= 1.05404×10-14  A11=-2.16883×10-18 
第11面
K = 3.15543  A4= 4.70704×10-7  A6=-3.45419×10-10  A8=-1.36646×10-13  A10= 8.18824×10-16  A12=-1.38102×10-19 
A3= 1.61406×10-6  A5= 1.49821×10-8  A7=-5.08156×10-12  A9=-1.62543×10-14  A11=-3.16884×10-18 
第14面
K =-1.31207×10  A4= 5.60204×10-7  A6= 1.39013×10-10  A8= 4.25359×10-13  A10=-3.11847×10-16  A12= 3.05178×10-19 
A3=-1.74721×10-6  A5=-7.67941×10-9  A7= 7.56092×10-12  A9=-5.62862×10-15  A11=-5.85101×10-18 
【００３５】
各種データ
ズーム比     14.00 
焦点距離       4.50     9.45    18.00    32.40    63.00  
Fナンバー      1.90     1.90     1.90     1.90     2.80  
画角          50.71    30.20    16.99     9.63     4.99  
像高           5.50     5.50     5.50     5.50     5.50  
レンズ全長   312.36   312.36   312.36   312.36   312.36  
BF             7.90     7.90     7.90     7.90     7.90  
d21            0.46    20.65    32.39    39.66    44.52  
d30           41.33    18.38     6.39     2.74     7.92  
d33           11.70    14.46    14.71    11.09     1.05  
d54            7.90     7.90     7.90     7.90     7.90  
入射瞳位置    32.17    41.64    54.98    73.95   104.41  
射出瞳位置   453.20   453.20   453.20   453.20   453.20  
前側主点位置  36.71    51.29    73.71   108.71   176.32  
後側主点位置   3.40    -1.55   -10.10   -24.50   -55.10  
ズームレンズ群データ
群  始面    焦点距離  レンズ構成長  前側主点位置  後側主点位置
1    1      27.10       101.72        44.25         36.71
2   22     -17.40        17.37         0.70        -14.09
3   31     -46.00         2.99        -0.39         -2.07
4   34      58.06       128.91        64.62       -118.37
【実施例３】
【００３６】
図５は本発明の実施例３のズームレンズの広角端における断面図である。図６に、実施例３のズームレンズのズーム位置が、広角端、ｆ＝１８ｍｍ、望遠端、における収差図を示す。
【００３７】
図５に示す本実施例３のズームレンズの構成は、図１に示した実施例１のズームレンズの構成と同様であるので、構成についての概略の記載は省略する。実施例３は、実施例１と基本的な構成は同等であるが、光学面の形状が異なるため、以下の数値実施例３において、具体的に示す。
本実施例３の各条件式対応値を表１に示す。本数値実施例はいずれの条件式も満足しており、広角端での焦点距離が4.8mm以下という広角を達成しながら広角端での倍率色収差を良好に補正した高い光学性能を達成している。
【００３８】
〈数値実施例３〉
面番号      r         d        nd        vd       θgF     有効径   焦点距離
1      497.51526   2.50000  1.772500   49.50    0.5519     83.220    -44.576
2       32.27954  15.78408  1.000000    0.00    0.0000     58.417      0.000
3      138.71750   1.85000  1.696797   55.53    0.5433     58.249   -145.373
4       58.36739  12.82599  1.000000    0.00    0.0000     55.533      0.000
5      -87.56249   1.75000  1.696797   55.53    0.5433     55.445   -101.312
6      375.57394   0.15000  1.000000    0.00    0.0000     57.149      0.000
7       96.65776   6.47622  1.896760   23.00    0.6108     59.058    125.062
8      637.13293   2.35982  1.000000    0.00    0.0000     58.926      0.000
9     1379.19179   7.39183  1.603112   60.64    0.5414     58.894    125.351
10      -80.15564   6.56755  1.000000    0.00    0.0000     58.848      0.000
11      311.90237   9.54009  1.438750   94.99    0.5342     56.464    119.369
12      -62.54231   1.65000  1.654115   39.70    0.5737     56.364   -171.854
13     -141.39938   0.15000  1.000000    0.00    0.0000     57.656      0.000
14      134.54394   1.65000  1.846660   23.78    0.6205     59.860   -138.410
15       62.60715  12.19099  1.438750   94.99    0.5342     59.760    115.628
16     -254.92568   0.18000  1.000000    0.00    0.0000     60.619      0.000
17      183.47269  11.76500  1.496999   81.54    0.5375     62.186    107.557
18      -74.13037   0.18000  1.000000    0.00    0.0000     62.420      0.000
19       86.51621   8.04895  1.592400   68.30    0.5456     58.537    120.203
20     -396.25611    (可変)  1.000000    0.00    0.0000     57.656      0.000
21       28.30878   0.75000  1.882997   40.76    0.5667     21.214    -31.561
22       13.90913   3.41105  1.000000    0.00    0.0000     18.456      0.000
23       98.04766   0.75000  1.834000   37.16    0.5775     18.166    -39.462
24       24.67138   4.29632  1.000000    0.00    0.0000     17.153      0.000
25      -28.37169   4.99624  1.784723   25.68    0.6161     16.572     18.377
26      -10.36772   0.80000  1.882997   40.76    0.5667     16.705    -13.841
27      -68.61309   0.13706  1.000000    0.00    0.0000     17.558      0.000
28       49.02136   2.48015  1.592701   35.31    0.5933     17.759     51.708
29      -81.67015    (可変)  1.000000    0.00    0.0000     17.807      0.000
30      -26.74395   0.75000  1.740999   52.64    0.5467     18.180    -23.572
31       51.62707   2.26520  1.808095   22.76    0.6307     19.589     49.492
32     -182.26268    (可変)  1.000000    0.00    0.0000     20.004      0.000
33        0.00000   1.40000  1.000000    0.00    0.0000     27.359      0.000
34      542.88958   3.08868  1.720000   43.69    0.5699     28.380     75.555
35      -60.67748   0.15000  1.000000    0.00    0.0000     28.776      0.000
36       73.99391   3.90770  1.639999   60.07    0.5372     29.553     65.848
37      -96.76937   0.22000  1.000000    0.00    0.0000     29.525      0.000
38       55.91255   6.24462  1.516330   64.14    0.5352     28.757     46.913
39      -41.37922   1.00000  1.882997   40.76    0.5667     28.116    -33.537
40      107.51631  34.00000  1.000000    0.00    0.0000     27.598      0.000
41       71.70949   5.19718  1.567322   42.80    0.5730     27.759     51.159
42      -47.91739   0.30000  1.000000    0.00    0.0000     27.504      0.000
43     -696.89119   1.00000  1.882997   40.76    0.5667     26.163    -23.663
44       21.68388   6.16444  1.516330   64.14    0.5352     24.696     36.921
45     -146.96232   0.20000  1.000000    0.00    0.0000     24.619      0.000
46       34.21408   7.74204  1.516330   64.14    0.5352     24.183     28.048
47      -23.32121   1.00000  1.882997   40.76    0.5667     23.763    -20.363
48       82.17483   0.87964  1.000000    0.00    0.0000     24.212      0.000
49       45.55541   6.21162  1.516330   64.14    0.5352     24.985     37.443
50      -32.23135   4.00000  1.000000    0.00    0.0000     25.145      0.000
51        0.00000  33.00000  1.608590   46.44    0.5664     23.010      0.000
52        0.00000  13.20000  1.516800   64.17    0.5347     16.393      0.000
53        0.00000   0.00000  1.000000    0.00    0.0000     13.582      0.000
【００３９】
非球面データ
第2面
K = 1.22038×10+2  A4= 2.53837×10-6  A6=-2.87657×10-10  A8=-2.07660×10-13  A10=-1.06570×10-16  A12= 1.95302×10-20 
A3=-3.54481×10-6  A5=-3.22306×10-8  A7= 8.19704×10-12  A9= 1.05404×10-14  A11=-2.16883×10-18 
第11面
K = 1.12003  A4= 6.82570×10-7  A6=-4.51683×10-10  A8=-4.46730×10-13  A10= 1.04373×10-15  A12=-2.19678×10-19 
A3= 1.79526×10-6  A5= 2.20761×10-8  A7=-3.27504×10-12  A9=-1.39904×10-14  A11=-3.98888×10-18 
第14面
K =-4.34200  A4= 5.59008×10-7  A6= 2.64295×10-10  A8= 4.16296×10-13  A10=-3.84235×10-16  A12= 2.89656×10-19 
A3=-1.30503×10-6  A5=-1.06332×10-8  A7= 6.69351×10-12  A9=-3.02532×10-15  A11=-4.85728×10-18 
【００４０】
各種データ
ズーム比     14.00 
焦点距離       4.50     9.45    18.00    32.40    63.00  
Fナンバー      1.90     1.90     1.90     1.90     2.80  
画角          50.71    30.20    16.99     9.63     4.99  
像高           5.50     5.50     5.50     5.50     5.50  
レンズ全長   314.00   314.00   314.00   314.00   314.00  
BF             7.90     7.90     7.90     7.90     7.90  
d21            0.46    20.65    32.39    39.66    44.52  
d30           41.39    18.44     6.45     2.80     7.98  
d33           11.70    14.46    14.71    11.09     1.05  
d54            7.90     7.90     7.90     7.90     7.90  
入射瞳位置    31.83    41.31    54.64    73.62   104.07  
射出瞳位置   453.08   453.08   453.08   453.08   453.08  
前側主点位置  36.38    50.96    73.37   108.37   175.99  
後側主点位置   3.40    -1.55   -10.10   -24.50   -55.10  
ズームレンズ群データ
群  始面    焦点距離  レンズ構成長  前側主点位置  後側主点位置
1    1      27.10       103.01        43.91         36.97
2   22     -17.40        17.62         0.95        -14.01
3   31     -46.00         3.02        -0.37         -2.07
4   34      58.06       128.91        64.63       -118.37
【００４１】
【表１】
0005584533.tif 000004
【図１】
0005584533.tif 000005
【図２】
0005584533.tif 000006
【図３】
0005584533.tif 000007
【図４】
0005584533.tif 000008
【図５】
0005584533.tif 000009
【図６】
0005584533.tif 000010
【図７】
0005584533.tif 000011
【図８】
0005584533.tif 000012